(57)【特許請求の範囲】
【請求項１】
長さ方向の略中央に折り目を有し、前記折り目を境目として、表面において第１の領域と第２の領域、及び裏面において第３の領域と第４の領域にそれぞれ区画される所定幅及び所定長さの基材と、前記基材の表面（第１の領域及び第２の領域）に配設された粘着層とを有する粘着テープと、
前記基材の裏面の前記第３の領域の長さ方向の所定位置に配設された第１の接着層と、
前記基材の裏面の前記第４の領域の長さ方向の所定位置に配設された第２の接着層と、を備え、
前記粘着テープの前記粘着層の上に第１の剥離材が、また前記第２の接着層の上に第２の剥離材が配設されるとともに、前記粘着テープが前記基材の前記折り目を基準として、前記粘着層の上の前記第１の剥離材を内側にして互いが接するように折り曲げられた状態で、かつ前記第２の接着層上の前記第２の剥離材側を内側又は外側に向けた状態で、巻回されてなるゴミ取りシート。
【請求項２】
前記基材の折り目は、ミシン目加工、折れ線加工又はハーフカット加工によって形成されたものである請求項１に記載のゴミ取りシート。
【請求項３】
前記第１の接着層の接着面と前記第２の接着層上の前記第２の剥離材の剥離面と、又は前記第２の接着層の接着面と前記第１の接着層上の前記第１の剥離材の剥離面とは、互いに略重なり合う位置で配設されて、巻回された請求項１又は２に記載のゴミ取りシート。
【請求項４】
７０ｍｍ以上の直径又は対角長を有するように巻回された請求項１〜３のいずれか１項に記載のゴミ取りシート。
【発明の詳細な説明】
【技術分野】
【０００１】
本発明は、ゴミ取りシートに関する。さらに詳しくは、家屋や建物における、例えば、部屋、廊下、階段、作業場、エアーシャワールーム、クリーンルーム等の床面と接するＬ字状又は緩やかなＪ字状のコーナー部等に設置されて用いられるゴミ取りシートであって、塵埃や髪の毛等のゴミを除去する性能（ゴミ取り性能）に優れるとともに、設置等の取り扱いが容易なゴミ取りシートに関する。
【背景技術】
【０００２】
作業室内に浮遊する塵埃や髪の毛等の塵埃吸着シートとして、例えば、エアシャワー装置の内壁面を有効に利用しながら浮遊する塵埃を吸着、除去して、エアシャワー装置の密閉空間内で吹き飛ばされて舞い上がった塵埃が人や物体に再付着することを防止する塵埃吸着シートが提案されている（特許文献１参照）。
【０００３】
一方、最近の研究によって、人の生活環境を悪化させるハウスダスト、衣服屑、髪の毛、綿ほこり、ペットの羽毛、花粉、ダニの死骸、菌・胞子等の、１０μｍ以上の大きな「ほこり」は、室内を長い間掃除しないと部屋の隅に溜まることが報告されている（非特許文献１参照）。このような「ほこり」を含む塵埃、さらに大きな髪の毛等をも含む所謂ゴミも同様に質量が軽いため、空気の流れによって、部屋の隅に溜まるとともに、そこで舞い上がる挙動を取ると考えられる。従って、特に、高度の除塵が要求されるエアーシャワールーム、クリーンルーム等においては、上述のゴミの挙動に鑑みて、ゴミが集積しかつ移動する床面と接するＬ字状又は緩やかなＪ字状のコーナー部にゴミ取りシートを設置することが効率的であると考えられる。
【０００４】
このような床面と接するコーナー部に配設されるテープとしては、例えば、住宅建築における入隅の気密処理加工等のような、角部二面に隙間なく密着させて貼り付ける用途に用いる入隅用粘着テープが提案されている（特許文献２参照）。
【０００５】
しかしながら、特許文献１及び２に記載された発明は、それぞれ優れた効果を発揮するものではあるが、上述の塵埃や髪の毛等のゴミの挙動である「空気の流れによって、部屋の隅に溜まるとともに、そこで舞い上がる」ことにまで踏み込んでなされたものではない。
【先行技術文献】
【特許文献】
【０００６】
【特許文献１】特開２００５−１２５１７６号公報
【特許文献２】特開２００２−２３５０５０号公報
【非特許文献】
【０００７】
【非特許文献１】ほこりのビジュアルシミュレーション（日本大学生産工学部：中山文博、吉田典正）
【発明の概要】
【発明が解決しようとする課題】
【０００８】
本発明は、上述の問題に鑑みてなされたものであり、家屋や建物における、例えば、部屋、廊下、階段、作業場、エアーシャワールーム、クリーンルーム等の床面と接するＬ字状又は緩やかなＪ字状のコーナー部等に設置されて用いられるゴミ取りシートであって、ゴミ取り性能に優れるとともに、設置等の取り扱いが容易なゴミ取りシートを提供することを目的とする。
【課題を解決するための手段】
【０００９】
上記目的を達成するため、本発明によれば、以下のゴミ取りシートが提供される。
【００１０】
［１］長さ方向の略中央に折り目を有し、前記折り目を境目として、表面において第１の領域と第２の領域、及び裏面において第３の領域と第４の領域にそれぞれ区画される所定幅及び所定長さの基材と、前記基材の表面（第１の領域及び第２の領域）に配設された粘着層とを有する粘着テープと、前記基材の裏面の前記第３の領域の長さ方向の所定位置に配設された第１の接着層と、前記基材の裏面の前記第４の領域の長さ方向の所定位置に配設された第２の接着層と、を備えたゴミ取りシート。
【００１１】
［２］前記基材の折り目は、ミシン目加工、折れ線加工又はハーフカット加工によって形成されたものである前記［１］に記載のゴミ取りシート。
【００１２】
［３］前記粘着テープの前記粘着層の上に第１の剥離材が、また前記第２の接着層の上に第２の剥離材が配設されるとともに、前記粘着テープが前記基材の前記折り目を基準として、前記粘着層の上の前記第１の剥離材を内側にして互いが接するように折り曲げられた状態で、かつ前記第２の接着層上の前記第２の剥離材側を内側又は外側に向けた状態で、巻回されてなる前記［１］又は［２］に記載のゴミ取りシート。
【００１３】
［４］前記第１の接着層の接着面と前記第２の接着層上の前記第２の剥離材の剥離面と、又は前記第２の接着層の接着面と前記第１の接着層上の前記第１の剥離材の剥離面とは、互いに略重なり合う位置で配設されて、巻回された前記［３］に記載のゴミ取りシート。
【００１４】
［５］７０ｍｍ以上の直径又は対角長を有するように巻回された前記［３］又は［４］に記載のゴミ取りシート。
【００１５】
本発明によれば、家屋や建物における、例えば、部屋、廊下、階段、作業場、エアーシャワールーム、クリーンルーム等の床面と接するＬ字状又は緩やかなＪ字状のコーナー部等に設置されて用いられるゴミ取りシートであって、ゴミ取り性能に優れるとともに、設置等の取り扱いが容易なゴミ取りシートを提供することができる。
【図面の簡単な説明】
【００１６】
【図１Ａ】第１の実施の形態に係るゴミ取りシートを模式的に示す断面図である。
【図１Ｂ】第１の実施の形態に係るゴミ取りシートを粘着テープの表面側（第１の剥離材の側）から模式的に示す平面図である。
【図１Ｃ】第１の実施の形態に係るゴミ取りシートを粘着テープの裏面側（第１の接着層及び第２の接着層の側）から模式的に示す平面図である。
【図１Ｄ】第１の実施の形態に係るゴミ取りシートを床面と接するＬ字状又は緩やかなＪ字状のコーナー部等に設置する直前の状態を示す断面図である。
【図２】巻き芯に巻回した状態の第２の実施の形態に係るゴミ取りシートを模式的に示す断面図である。
【図３】図２におけるＢ−Ｂ線の切断図である。
【発明を実施するための形態】
【００１７】
Ｉ．第１の実施の形態に係るゴミ取りシート
図１Ａ〜１Ｄに示すように、本発明の第１の実施の形態に係るゴミ取りシート１００は、長さ方向の略中央に折り目Ｆを有し、折り目Ｆを境目として、表面において第１の領域１１と第２の領域１２、及び裏面において第３の領域１３と第４の領域１４にそれぞれ区画される所定幅及び所定長さの基材１０と、基材１０の表面（第１の領域１１及び第２の領域１２）に配設された粘着層２０と、必要に応じて第１の剥離材２５を有する粘着テープ５０と、基材１０の裏面の第３の領域１３の長さ方向の所定位置に配設された第１の接着層６０と（図１Ｃにおいては、第１の接着層６０が第３の領域１３の幅方向の中央部にその幅以下の幅を有して配設される場合を示すが、これに限定されることはない）、基材１０の裏面の第４の領域１４の長さ方向の所定位置に配設された第４の領域１４の幅以下の幅を有する第２の接着層７０と（図１Ｃにおいては、第２の接着層７０が第２の領域１４の幅方向の中央部にその幅以下の幅を有する場合を示すが、これに限定されることはない）、必要に応じて配設される第２の剥離材７５を備えてなるものである。
【００１８】
基材１０の折り目Ｆは、ミシン目加工、折れ線加工又はハーフカット加工によって形成されたものであることが好ましい。このように構成することによって、床面と接するコーナー部等にＬ字状又は緩やかなＪ字状に成形して設置をし易くすることができる。なお、折り目Ｆは、基材１０だけではなく、第１の剥離材２５にも配設することが、折り曲げを容易化する上で好ましい。
【００１９】
ＩＩ．第２の実施の形態に係るゴミ取りシート
図２及び図３に示すように、本発明の第２の実施の形態に係るゴミ取りシート１００（符号は第１の実施の形態における場合と同じ１００を用いて説明する）においては、粘着テープ５０の粘着層２０の上に第１の剥離材２５が、また第２の接着層７０の上に第２の剥離材７５が配設されるとともに、粘着テープ５０が基材１０の折り目Ｆを基準として、粘着層２０の上の第１の剥離材２５を内側にして互いが接するように折り曲げられた状態で、かつ第２の接着層７０上の第２の剥離材７５側を内側又は外側に向けた状態で、巻回されてなるように構成されている。なお、図３では、第２の接着層７０上の第２の剥離材７５側を内側に向けた状態で、かつ第２の剥離材７５側が巻き芯８０に対向する状態で、巻き芯８０に巻回した場合を示すが、第２の接着層７０上の第２の剥離材７５側を外側に向けた状態で巻回してもよく、また、環境面の配慮から、巻き芯８０を用いることなしに巻回してもよい。
【００２０】
必要に応じて用いられる巻き芯８０の形状は、ゴミ取りシート１を円滑に巻回することができれば、特に制限はないが、例えば、円形、多角形等を挙げることができる。円形の場合、好ましくは７０ｍｍ以上、さらに好ましくは、１５０ｍｍ以上の直径を有するものが好ましく、また多角形の場合も同様に、好ましくは７０ｍｍ以上、さらに好ましくは、１５０ｍｍ以上の対角長を有するものが好ましい。このように構成することによって、巻き芯８０に巻回されたゴミ取りシート１００の直径及び対角長は、好ましくは７０ｍｍ以上、さらに好ましくは、１５０ｍｍ以上の直径を有するものとなり、折り目Ｆの近傍部分でシワ等の不都合が発生するのを防止することができる。なお、巻き芯８０を用いることなく巻回した場合のゴミ取りシート１００の直径及び対角長は、上述の場合と同様である。
【００２１】
また、図３に示すように、本発明の第２の実施の形態に係るゴミ取りシート１００においては、第１の接着層６０の接着面６１と、第２の接着層７０上の第２の剥離材７５の剥離面７６とは、互いに略重なり合う位置で配設されて、巻き芯８０に巻回されてなるように構成されている。この場合、剥離面７６（第２の剥離材７５、すなわち第２の接着層７０）の幅の方が接着面６１（第１の接着層６０）の幅より若干広い方が両者の接着を未然に防止する上で好ましい。第１の接着層６０及び第２の接着層７０をこのように構成することによって、巻き芯８０への巻回時に、第１の接着層６０の側に剥離材を配設する必要がなく、製造工程的にも設置作業的にも、省力化を図ることができる。なお、上述のように、図３では、巻き芯８０に巻回した場合を示すが、巻き芯８０を用いることなくゴミ取りシート１００を巻回してもよい。
【００２２】
以下、本発明の第１及び第２の実施の形態に係るゴミ取りシート１００の構成成分である粘着テープ５０、第１の接着層６０及び第２の接着層７０について、さらに詳細に説明する。
【００２３】
１．粘着テープ５０
図１Ａ〜１Ｄに示すように、粘着テープ５０は、基材１０と、基材１０の表面（第１の領域１１及び第２の領域１２）に配設された粘着層２０と、必要に応じて第１の剥離材２５とを有する。
【００２４】
１−１．基材１０
本実施の形態における粘着テープ５０に用いられる基材１０としては、例えば、クラフト紙、合成紙等の紙、布、プラスチックのフィルム、その他の材料を挙げることができるが、紙粉の発生防止の観点からは、塩化ビニル、ポリエステル、ポリプロピレン無延伸フィルム（ＣＰＰ）、ポリプロピレン延伸フィルム（ＯＰＰ）、ポリエチレン、ポリアミド（ナイロン（登録商標））、エチレン酢酸共重合体等のプラスチックのフイルムが好ましい。このような材料を用いることによって、基材１０に、ラップ性及び馴染み性を付与することができ、巻き芯８０に巻回する場合に、巻き癖の発生を防止することができる。この基材１０の寸法は、設置場所の寸法にもよるが、設置時の作業性がよく、貼り付け後に剥離し難いものであれば特に制限はなく、例えば、長方形を想定した場合、長辺（長さ）としては、廊下等を考慮して、１０ｃｍ〜１００ｍが好ましく、短辺（幅）としては、２〜２０ｃｍが好ましい。厚さとしては、２０〜２００μｍ程度が好ましい。２０μｍ未満であると、破れ易くなることがあり、２００μｍを超えると、柔軟性が低下し、壁面に貼り付け難くなることがある。
【００２５】
１−２．粘着層２０
本実施の形態における粘着テープ５０に用いられる粘着層２０としては、例えば、アクリル系、ゴム系、ホットメルト系、エマルジョン系、シリコン系等の粘着剤からなるものを挙げることができる。粘着層２０は、ゴミ取りシート１００（粘着テープ５０）の上に付着した塵埃や髪の毛等のゴミを留めておくために、１．０  Ｎ／ｃｍ以上の粘着力を有することが好ましい。粘着層２０の厚さは、塵埃や髪の毛等のゴミを付着させやすくするため、２０〜１００μｍにすることが好ましい。
【００２６】
１−３．第１の剥離材２５
本実施の形態における粘着テープ５０において、設置作業を容易にするため必要に応じて用いられる第１の剥離材２５としては、例えば、基材として、上質紙、平面紙、グラシン紙、クラフト紙、合成紙等からなるものを挙げることができる。また、紙粉の発生を抑えることを考慮して、プラスチックフィルム、例えば、塩化ビニル、ポリエステル、ポリプロピレン無延伸フィルム（ＣＰＰ）、ポリプロピレン延伸フィルム（ＯＰＰ）、ポリエチレン、ポリアミド（ナイロン（登録商標））、エチレン酢酸共重合体等のプラスチックのフィルムが好ましい。厚さは、剥がし易さを考慮し、２０〜２００μｍ程度が好ましい。基材に付加される剥離処理としては、シリコン系、フッ素系、エマルジョン系等を挙げることができる。
【００２７】
２．第１の接着層６０
本実施の形態に用いられる第１の接着層６０としては、例えば、アクリル系、ゴム系、ホットメルト系、エマルジョン系、ウレタン系、シリコン系等の粘着剤からなるものを挙げることができる。厚さは、５〜２００μｍ程度が好ましい。なお、通常は、第１の接着層６０の上には剥離材を特に配設する必要がないので、設置時には先ず床面等に第１の接着層６０によって第３の領域１３側から貼り付けられる。なお、図１Ａ、図１Ｃ、図３等において、第１の接着層６０及び第２の接着層７０を第３の領域１３及び第４の領域１４のそれぞれの幅方向の中央部に配設した場合を示したが、両者が互いに重なり合うように配設される限りおいて、幅方向のいずれかの端側に配設してもよい。また、本実施の形態においては、接着層を用いて貼り付け作業を行う場合を示したが、マグネット、面ファスナー等を用いて貼り付け作業を行ってもよい。
【００２８】
３．第２の接着層７０
本実施の形態に用いられる第２の接着層７０としては、例えば、アクリル系、ゴム系、ホットメルト系、エマルジョン系、ウレタン系、シリコン系等の粘着剤からなるものを挙げることができる。厚さは、５μ〜２００μ程度が好ましい。また、第２の接着層７０の上には、第２の剥離材７５が配設されるが、第２の剥離材７５は、例えば、第１の剥離材２５と同様に構成することができる。上述のように、第１の接着層６０を、床面等に貼り付けた後、第２の剥離材７５を剥離し、第２の接着層７０を壁面等に貼り付けることによって、ゴミ取りシート１００の全体を、例えば、床面及び壁面にＬ字状又はＪ字状に設置することができる。
【００２９】
４．巻き芯８０
本実施の形態において、必要に応じて用いられる巻き芯８０としては、例えば、クラフト紙、上質紙、ダンボール紙等を挙げることができる。また、紙粉の発生を抑えるために、プラスチック製、例えば、塩化ビニル、ポリエステル、ポリプロピレン（ＰＰ）、ポリスチレン（ＰＳ）、ＡＢＳ、ポリエチレン、ポリアミド（ナイロン（登録商標））、エチレン酢酸共重合体等を用いることが好ましい。上述のように、巻き芯８０を用いずに、ゴミ取りシートを巻回してもよい。
【００３０】
［ゴミ取りシートの製造方法］
本実施の形態のゴミ取りシートは、以下のようにして製造することができる。すなわち、本実施の形態のゴミ取りシート１に用いられる基材１０（例えば、厚さ１００μ、幅５０ｍｍ幅の塩化ビニルフィルム）に、所謂ゴミの捕獲効果の高い粘着層２０（例えば、高タック、高凝集力のアクリル系粘着剤）を５０μｍの厚さに塗布する。粘着層２０を塗布後、第１の剥離材２５（例えば、片側がポリエチレンフィルムでラミネートされ、その上にシリコン樹脂で離型処理を施された厚さ１００μｍの上質紙のシリコン離型面）を粘着層２０側に貼り合わせし、粘着テープ５０を形成する。次に、折り目Ｆを、粘着テープ５０の基材１０及び剥離材２５に非連続的な切れ目が入るように、ハーフカット加工又はミシン目加工（１ｍｍ間隔で切れ目１ｍｍ）を施す。この場合、非連続的な切れ目は剥離材２５にのみ形成して、基材１０には折り目だけを形成するようにしてもよい。その後、図１Ｃに示す第３の領域１３に、第１の接着層６０（例えば、再剥離性能を有する粘着層を両側に持つ住友スリーエム社製両面テープＮｏ．１１１０）を第３の領域１３に幅８ｍｍにて貼り合わせし、第４の領域１４に、第２の接着層７０（例えば、上述の住友スリーエム社製Ｎｏ．１１１０）及び第２の剥離材７５を第３の領域１４に幅１０ｍｍで貼り合わせ、ゴミ取りシート１００（例えば、幅５０ｍｍ、長さ５０ｍ）を形成する。最後に、折り目Ｆに沿って、第１の剥離材２５を内側に折り畳み、巻き芯８０（例えば、ポリスチレン樹脂製で肉厚５ｍｍ、内径６インチ）に、粘着テープ５０の粘着層２０の上に第１の剥離材２５が、また第２の接着層７０の上に第２の剥離材７５が配設されるとともに、粘着テープ５０が基材１０の折り目Ｆを基準として、粘着層２０の上の第１の剥離材２５を内側にして互いが接するように折り曲げられた状態で、かつ第２の接着層７０上の第２の剥離材７５側を内側又は外側に向けた状態で、巻き芯８０に巻回された構成となるように巻取りを実施する。なお、上述のように、巻き芯８０を用いることなしに巻回してもよい。
【００３１】
［ゴミ取りシートの設置方法］
本実施の形態のゴミ取りシートは、以下のようにして設置することができる。すなわち、予め、巻き芯８０に巻回された又は巻き芯８０を用いることなく巻回された本実施の形態のゴミ取りシート１００を必要な長さだけ引き出して、切り取る。その第１の粘着層６０側を、部屋、廊下、階段、作業場、エアーシャワールーム、クリーンルーム等の壁面に隣接した床面に貼り付ける。この際、ハウスダスト、衣服屑、髪の毛、綿ほこり、ペットの羽毛、花粉、ダニの死骸、菌・胞子等の、１０μｍ以上の大きな「ほこり」が、溜まりやすい、上述の床面と接するＬ字状又はＪ字状のコーナー部に設置する。特に、空気流れの下流にあたる箇所に設置すると、より効果的である。所謂ゴミは、床面と同様、質量が小さいため、床面と接した壁面にも舞い上がるため、床面より壁に沿って高さ方向に、本実施の形態のゴミ取りシート１００を貼り付けすることが必要となる。そこで、上述のように第１の接着層６０側を、床面等に貼り付けた後、第２の剥離材７５を剥離し、第２の接着層７０を壁面等に貼り付けることによって、ゴミ取りシート１００の全体を、例えば、床面及び壁面にＬ字状又はＪ字状に設置する。その後、第１の剥離材２５を剥離し、ゴミ取り部となる粘着層２０を露出させる。
【実施例】
【００３２】
以下に、本発明のゴミ取りシートを、実施例を用いてさらに具体的に説明する。なお、本発明は、以下の実施例によって、いかなる制限を受けるものではない。
【００３３】
（実施例１）
本実施のゴミ取りシートの基材１０（例えば、厚さ１００μｍ、幅５０ｍｍ幅の三菱樹脂社製の塩化ビニルフィルム）に、所謂ゴミの捕獲効果の高い粘着層２０（高タック、高凝集力のアクリル系粘着剤）を５０μｍの厚さに塗布した。粘着層２０を塗布後、第１の剥離材２５（片側がポリエチレンフィルムでラミネートされ、その上にシリコンで離型処理を施された厚さ１００μｍの上質紙のシリコン離型面）を粘着層２０側に、貼り合わせし、粘着テープ５０を形成した。次に、折り目Ｆを、粘着テープ５０の基材１０及び第１の剥離材２５に非連続的な切れ目が入るように、ハーフカット加工又はミシン目加工（１ｍｍ間隔で切れ目１ｍｍ）を施した。その後、図１Ｃに示す第３の領域１３に、第１の接着層６０（再剥離性能を有する粘着層を両側に持つ住友スリーエム社製両面テープＮｏ．１１１０）を第３の領域１３に幅８ｍｍにて貼り合わせし、第４の領域１４に、第２の接着層７０（上述の住友スリーエム社製Ｎｏ．１１１０）及び第２の剥離材７５を第３の領域１４に幅１０ｍｍで貼り合わせ、ゴミ取りシート１００（幅５０ｍｍ、長さ５０ｍを形成した。最後に、折り目Ｆに沿って、第１の剥離材２５を内側に折り畳み、巻き芯８０（ポリスチレン樹脂製で肉厚５ｍｍ、内径６インチ＝１５２．４ｍｍ）に、粘着テープ５０の粘着層２０の上に第１の剥離材２５が、また第２の接着層７０の上に第２の剥離材７５が配設されるとともに、粘着テープ５０が基材１０の折り目Ｆを基準として、粘着層２０の上の第１の剥離材２５を内側にして互いが接するように折り曲げられた状態で、かつ第２の接着層７０上の第２の剥離材７５側を内側（外側でもよい）に向けた状態で、巻き芯８０に対向する状態で、巻き芯８０に巻回された構成となるように巻取りを実施した。
【００３４】
なお、床面に設置するゴミ取りシートして、積層式の粘着ゴミ取りマットがあるが、これは設置箇所が床面に限られ、人間がシートの上を歩く際に生じる荷重で靴裏の所謂ゴミを除去するための粘着シートであり、本発明のゴミ取りシートが目的とする人の生活環境を悪化させるハウスダスト、衣服屑、髪の毛、綿ほこり、ペットの羽毛、花粉、ダニの死骸、菌・胞子等の、質量の軽い１０μｍ以上の大きな「ほこり」は捕獲するものではない。またサイズは、縦６００ｍｍ、横９００ｍｍ程度で設定され、足で踏まれる為、汚れが早く交換がし易いように粘着シートが何枚にも重なり合わさって積層されているものである。また粘着力も歩行の妨げにならぬ様、また人間が歩く際に生じる荷重でゴミ取りを可能にした為に０．１〜１Ｎ／ｃｍと低く設定され、粘着層は５〜２０μｍ程度に薄く設定される。このため、本発明のゴミ取りシートが目的とする人の生活環境を悪化させるハウスダスト、衣服屑、髪の毛、綿ほこり、ペットの羽毛、花粉、ダニの死骸、菌・胞子等の、質量の軽い１０μｍ以上の大きな「ほこり」を捕獲することが困難であり、捕獲できたとしても気流の流れや時間の経過と共に剥がれて再度浮遊することになり、本発明のゴミ取りシートと大きく異なる。
【符号の説明】
【００３５】
１０    基材
１１    第１の領域
１２    第２の領域
１３    第３の領域
１４    第４の領域
２０    粘着層
２５    第１の剥離材
５０    粘着テープ
６０    第１の接着層
６１    接着面
７０    第２の接着層
７５    第２の剥離材
７６    剥離面
８０    巻き芯
１００  ゴミ取りシート
Ｆ      折り目
【図１Ａ】
0005839680.tif 000002
【図１Ｂ】
0005839680.tif 000003
【図１Ｃ】
0005839680.tif 000004
【図１Ｄ】
0005839680.tif 000005
【図２】
0005839680.tif 000006
【図３】
0005839680.tif 000007